(57)【要約】【課題】  滅菌器本体の転倒を防止する事を目的とするものである。【解決手段】  被滅菌物を収納して滅菌を行うチャンバーと、このチャンバーの開口部を密閉する開閉自在な蓋と、チャンバー内に蒸気を供給／又はチャンバー内で蒸気を発生する蒸気発生手段と、この蒸気発生手段等を制御する制御手段と、これら制御手段やチャンバー等を収納する滅菌器本体とを備えたものにおいて、この滅菌器本体の底部左右に左右方向に引出し自在に装着され、かつ前後端を滅菌器本体の前後より所定寸法以上突出した転倒防止金具を設けて成る。【選択図】        図１
2008229201.tif 000002
【特許請求の範囲】
【請求項１】
被滅菌物を収納して滅菌を行うチャンバーと、このチャンバーの開口部を密閉する開閉自在な蓋と、上記チャンバー内に蒸気を供給／又はチャンバー内で蒸気を発生する蒸気発生手段と、この蒸気発生手段等を制御する制御手段と、これら制御手段や上記チャンバー等を収納する滅菌器本体とを備えたものにおいて、この滅菌器本体の底部左右に左右方向に引出し自在に装着され、かつ前後端を上記滅菌器本体の前後より所定寸法以上突出した転倒防止金具を設けた事を特徴とする蒸気滅菌器。
【請求項２】
上記転倒防止金具を、金属製線材を略矩形状に成形して形成した事を特徴とする、上記請求項１に記載の蒸気滅菌器。
【請求項３】
上記蓋を閉成位置にロックするロック手段と、上記転倒防止金具の引出しを検出する検出手段とを設け、上記制御手段を、上記検出手段が転倒防止金具の引き出しを検出しない場合には、上記ロック手段により蓋を閉成位置にロックする様に構成した事を特徴とする、上記請求項１又は２に記載の蒸気滅菌器。
【発明の詳細な説明】
【技術分野】
【０００１】
本発明は、主に病院等に設置して、医療用器具等の被滅菌物を高温高圧蒸気により滅菌処理を行う高圧蒸気滅菌器に関する。
【背景技術】
【０００２】
チャンバー内に被滅菌物を収納して密封し、チャンバー内に飽和蒸気を供給して被滅菌物を滅菌処理する医療用の滅菌器では、例えば特許文献１や特許文献２に示される様に、チャンバーの前面又は上面に蓋を開閉自在に枢支している。
【特許文献１】特開２００４−１５６２２９号公報
【特許文献２】特開平１０−２７２１７０号公報
【発明の開示】
【発明が解決しようとする課題】
【０００３】
一方、上記構成の場合、蓋の開閉によって滅菌器本体の重心位置が移動し、特に蓋を開いた場合に転倒の可能性が高くなるとの判断に基づき、例えば、滅菌器の底に滅菌器の底面積によりも所定寸法大きな鉄板を配置し、この板と滅菌器本体とを金具により連結することで、滅菌器を前後左右方向に所定角度傾斜した状態で蓋を開閉操作しても滅菌器が転倒しなくなるが、滅菌器を鉄板に連結すると、滅菌器を容易に移動出来なくなるという問題がある。
【０００４】
そこで本発明は、滅菌器の転倒を防止しながら、滅菌器本体の移動を簡単に行いうる様にする事を目的とする。
【課題を解決するための手段】
【０００５】
本発明の請求項１の構成は、被滅菌物を収納して滅菌を行うチャンバーと、このチャンバーの開口部を密閉する開閉自在な蓋と、チャンバー内に蒸気を供給／又はチャンバー内で蒸気を発生する蒸気発生手段と、この蒸気発生手段等を制御する制御手段と、これら制御手段やチャンバー等を収納する滅菌器本体とを備えたものにおいて、この滅菌器本体の底部左右に左右方向に出し入れ自在に装着され、かつ前後端を滅菌器本体の前後より所定寸法以上突出した転倒防止金具を設けて成るものである。
【０００６】
本発明の請求項２の構成は、請求項１の構成において、転倒防止金具を、金属製線材を略矩形状に成形して成るものである。
【０００７】
本発明の請求項３の構成は、請求項１又は２に記載の構成において、蓋を閉成位置にロックするロック手段と、転倒防止金具の引出しを検出する検出手段とを設け、制御手段を、検出手段が転倒防止金具の引き出しを検出しない場合には、ロック手段により蓋を閉成位置にロックする様に構成して成るものである。
【発明の効果】
【０００８】
本発明の請求項１に記載の構成により、滅菌器本体の底部左右に、左右方向に出し入れ自在に転倒防止金具を装着したことで、蓋を開いて重心位置が前後に移動し、この時、地震等何らかの理由により滅菌器本体が傾斜しても、転倒防止金具により滅菌器本体を支持し、滅菌器本体の転倒を確実に防止すると共に、滅菌器本体の移動時には転倒防止金具を収納して横幅を狭くすることで、通路や扉等を比較的簡単に通過する事が出来るものである。
【０００９】
本発明の請求項２に記載の構成により、転倒防止金具を金属製の線材により構成することで、転倒防止金具の装着による重量の増加を抑える事が出来るものである。
【００１０】
本発明の請求項３に記載の構成により、転倒防止金具が収納されている場合には、ロック機構により蓋をロックして開かない様にすることで、転倒防止金具の未セットによる滅菌器本体の転倒を確実に防止する事が出来るものである。
【発明を実施するための最良の形態】
【００１１】
本発明による実施例を先ず図１に基づき説明すると、１は医療用の滅菌器本体で、本体ケース２の上部に蓋３を上下方向に開閉自在に枢支していると共に、上記本体ケース２の底には移動用のキャスター４・・を装着し、同じく前面下部には排気タンク５を前面より着脱自在に収納し、同じく前面上部には針式の圧力計６を配置している。尚、上記蓋３はその後端部に装着した図示しないヒンジにて上下方向に開閉自在に枢支している。
【００１２】
更に上記蓋３の上面手前には操作部７を装着し、この操作部には各種表示器や複数の操作キー１０・・を配置していると共に、操作部７の手前には、内部に手等を挿入する挿入溝１１を形成した略コ字状の取手１２を装着し、かつこの取手の挿入溝１１内には摺動レバー１３を前後方向に摺動自在に収納している。
【００１３】
又上記本体ケース２内には、図２にて示す様に、上面を開口した有底円筒状のチャンバー８を収納し、かつこのチャンバーの開口を、上記蓋３の内面に固定したチャンバー蓋９にて開閉自在に密閉する。
【００１４】
一方、上記チャンバー８の上部には、回転軸１６にて前後方向に回転自在に左右一対のフック１５，１５を枢支し、これらフックの上端部に一体に形成した鉤状の係止爪１７，１７を、本体ケース２の上面板１８を貫通して上方に突設していると共に、スプリング１９により上記係止爪１７，１７の形成方向に回転付勢されている。
【００１５】
上記チャンバー蓋９の前側側面には、上記フック１５，１５の係止爪１７，１７に対向位置してこの係止爪が着脱自在に係合するロック金具２１，２１を溶接等により一体的に固定し、これにより、取手１２を持って蓋３を閉じると、スプリング１９の付勢によりフック１５，１５の係止爪１７，１７がロック金具２１に係合し、蓋３を閉成状態に確実にロックするものである。
【００１６】
一方、上記取手１２は、蓋３に固定した固定板２３の前板２４，２４にビス等により固定され、かつ固定板２３には滅菌運転中等に上記摺動レバー１３のスライド操作を阻止する電磁ソレノイド２５を固定している。
【００１７】
又、上記摺動レバー１３の後端面には、スライド板２６の前端を連結していると共に、このスライド板の後端には、上記フック１５，１５の係止爪１７，１７に近接した適所に突設した解除軸２７に、スプリング１９によるフック１５，１５の付勢方向のみ係止する掛止片２８を折曲形成し、これにより、蓋３を完全に閉塞してフック１５，１５の係止爪１７，１７がロック金具２１に係合時に摺動レバー１４を手前側に摺動操作すると、スライド板２６が手前に摺動してその掛止片２８が解除軸２７に係止してフック１５，１５を手前側に回動操作し、係止爪１７，１７とロック金具２１との係合を解除して蓋３を開成出来るものである。
【００１８】
更に、上記スライド板２６には、電磁ソレノイド２５のプランジャー軸２９に対向位置して係入孔３０を穿孔した立上片３１を一体に折曲形成し、蓋３が完全に閉塞してフック１５，１５の係止爪１７，１７がロック金具２１に係合時には、係入孔３０がプランジャー軸２９の先端に対向位置し、この時滅菌運転が開始されると、電磁ソレノイド２５に通電されてプランジャー軸２９が係入孔３０内に係入して、スライド板２６並びに摺動レバー１４のスライド操作を阻止して蓋３の開成が行えない様に構成し、これらにてロック手段を構成している。
【００１９】
図１において、４０，４０は、上記滅菌器本体１の底部左右に装着した転倒防止金具で、図３にても示す様に金属製の線材を折曲して、滅菌器本体１の前後に延びる略矩形状の突部４１，４１を形成していると共に、線材の両端部を上記滅菌器本体１の底板４２に、支持金具４３・・により左右方向に摺動自在に支持している。
【００２０】
尚、上記支持金具４３・・は、上記転倒防止金具４０，４０の端部が係入する凹溝を一体形成し、上記底板４２と支持金具４３・・との間で、転倒防止金具４０，４０の端部を軸方向に摺動自在に挟持する様に構成していると共に、上記突部４１，４１は、その前後方向への突出寸法を、蓋３を開いた状態で滅菌器本体１を前後方向に１０度傾斜しても転倒しない長さとし、かつ、左右方向への摺動寸法も、同様に、滅菌器本体１を左右方向に１０度傾斜しても転倒しない幅寸法としている。
【００２１】
これらの構成により、滅菌器本体１を所望の配置場所に移動後キャスター４・・をロックし、転倒防止金具４０，４０を図３及び図４にて示す引き出し位置に引き出すことで、蓋３開閉により重心位置が移動した状態で、何らかの原因により滅菌器本体１が前後左右に傾斜しても、転倒防止金具４０，４０により確実に転倒を防止するものである。
【００２２】
又、滅菌器本体１を他の場所に移動したり、運搬する場合には、転倒防止金具４０，４０を図１にて示す収納位置に押し込み、キャスター４・・のロックを解除することで、比較的簡単に移動する事が出来るものである。
【００２３】
４４，４４は上記転倒防止金具４０，４０の何れか一方の先端の引き出し位置に対向して装着した検出スイッチで、マイクロスイッチ等により構成し、転倒防止金具４０，４０が最も引き出された位置で接点をオン又はオフすることで、転倒防止金具４０，４０の引き出しを検出するものである。
【００２４】
図５は配管系統図で、上記チャンバー８の内底部に、蒸気発生手段となるシーズヒータ等のヒータ５０を装着し、チャンバー８の側面には、圧力安全弁５１と、上記圧力計６に連結した圧力管５２と、途中に排気バルブ５３を接続し、かつ先端を上記排気タンク５内の水中に開放した排気パイプ５４と、真空破壊弁５５やディジタル式の圧力センサ５６を接続した導出パイプ５７とを各々接続し、上記排気パイプ５４と導出パイプ５７の出口付近とチャンバー８の中間高さ位置には各々温度センサ５８，５９，６０を接続している。
【００２５】
６１はマイクロコンピュータ等にて構成した制御手段で、上記蓋３の天面に配置した操作部７や圧力センサ５６、温度センサ５８，５９，６０、検出スイッチ４４，４４等からの入力や出力に基づいて、上記電磁ソレノイド２５やヒータ５０、排気バルブ５３等への通電を予め設定した所定のシーケンスに従って制御するものである。
【００２６】
又、上記制御手段は、検出スイッチ４４，４４の出力から転倒防止金具４０，４０の収納状態を検出し、これらの転倒防止金具が所定の引き出し位置迄引き出されていない場合には、電磁ソレノイド２５への通電を停止して蓋３をロックして開かない様に構成しており、これにより、転倒防止金具４０，４０の未セット時における蓋３の開成による滅菌器本体１の転倒を確実に防止する事が出来るものである。
【図面の簡単な説明】
【００２７】
【図１】本発明の実施例を示す斜視図である。
【図２】同じく一部の部品を取り外した状態の分解斜視図である。
【図３】同じく要部の動作説明用の底面斜視図である。
【図４】同じく動作説明用の斜視図である。
【図５】同じく配管系統図である。
【符号の説明】
【００２８】
１    滅菌器本体
３    蓋
８    チャンバー
２５  プランジャー（ロック手段）
４０  転倒防止金具
４４  検出スイッチ（検出手段）
５０  ヒータ（蒸気発生手段）
６１  制御手段
【図１】
2008229201.tif 000003
【図２】
2008229201.tif 000004
【図３】
2008229201.tif 000005
【図４】
2008229201.tif 000006
【図５】
2008229201.tif 000007